(57)【要約】【課題】ユーザーが清拭作業するといった負担をかけることなく、かつ特別な追加部品を必要とせずに安価に、コンタクトガラスや白基準板の汚れを防止する画像読取装置を提供することを課題とする。【解決手段】原稿の読取位置に設けたコンタクトガラスと１０１、原稿を照明する露光ランプ等を有し前記コンタクトガラスの下方に設けた読取部１０と、原稿の読取位置近傍に設けた白基準板とを含み、前記コンタクトガラスあるいは白基準板の少なくともいずれか一方の表面に光触媒性物質を含有した光触媒含有材料で被膜を形成する。これにより、汚れを光励起触媒作用により分解する。しかも、光の照射は露光ランプで兼ねる構成である。【選択図】  図１
2004215162.tif 000002
【特許請求の範囲】
【請求項１】
原稿の読取位置に設けたコンタクトガラスと、原稿を照明する露光ランプ等を有し前記コンタクトガラスの下方に設けた読取部と、原稿の読取位置近傍に設けた白基準板とを含み、前記コンタクトガラスあるいは白基準板の少なくともいずれか一方の表面に光触媒性物質を含有した光触媒含有材料で被膜を形成することを特徴とする画像読取装置。
【請求項２】
前記コンタクトガラス上の光触媒性物質の光励起は前記露光ランプで行なう請求項１記載の画像読取装置。
【請求項３】
前記白基準板上の光触媒性物質の光励起は前記露光ランプで行ない、光励起するタイミングは、原稿の入れ替えている間の時間等の、前記コンタクトガラス上に原稿が置かれていないタイミングとする請求項１記載の画像読取装置。
【請求項４】
原稿載置部上に載置された原稿を原稿読取位置まで搬送する搬送手段と、原稿を読取位置通過後に排紙する排紙手段とを有する自動原稿搬送装置を含む画像読取装置において、原稿の読取位置に設けたコンタクトガラスと、原稿を照明する露光ランプ等を有し前記コンタクトガラスの下方に設けた読取部と、前記コンタクトガラスと対向する上方位置にあって自身が白基準板を形成するガイド部材とを具備し、前記コンタクトガラスとガイド部材の表面に光触媒性物質を含有した光触媒含有材料で被膜を形成することを特徴とする画像読取装置。
【発明の詳細な説明】
【０００１】
【発明の属する技術分野】
本発明は、複写機、スキャナー等画像形成装置における画像読取装置に関する。
【０００２】
【従来の技術】
複写機、スキャナー等の画像読取装置においては、画像読取部であるコンタクトガラス等の汚れにより異常画像が発生することが問題として取り上げられている。特に、シートスルー原稿読取装置と呼ばれる原稿読取装置を例にとって見てみると、原稿読取装置で情報を取り込んだ場合に、異常画像として、例えば、地肌部に黒筋等が発生したり、画像部に白筋等の色抜け部が発生したりすることがある。これは、空気中のごみやほこり等の付着物にて光学系の構成部品が汚れることにより発生することが多い。特に、画像読取部であるコンタクトガラスは、ごみやほこり等の付着物で汚れ易い。こうした異常画像の発生した場合は、コンタクトガラス上面の汚れについてはユーザーに清拭してもらったり、又、ユーザーでできない部分の汚れ等についてはサービスマンで対応したりしている。
【０００３】
また、この種の画像読取装置では、画像読取条件を設定するため、反射率が既知の「白基準板」と呼ばれる基準板を読取位置に配置し、この白基準板を読み込んで校正を行なうことで、レンズやランプ等部品の個体のバラツキ、あるいは経年変化等によるランプ光量の低下を補正し、その出力から読取条件を自動設定することが広く行なわれている。その白基準板に汚れが付着すると、条件設定が狂い好ましくなく、そのため、白基準板についてもユーザーに清拭してもらう必要があった。
【０００４】
上記のような問題点の解決方法として、例えば、特許文献１には、汚れを検出した場合に原稿読取位置を移動させて読取を行なう提案がされているが、該公報技術では、コンタクトガラス上に付着した汚れ等はそのままにしておくため、最終的にはコンタクトガラスの清拭作業が必要であるという問題は残っていた。また、特許文献２には、空気を吹きつけて汚れ等を除去する提案がされているが、該公報技術では、空気を送るための装置が別途に必要となり、装置全体が大型化してしまう問題があった。
【０００５】
【特許文献１】
特開２０００−１９６８１４号公報
【特許文献２】
特開２０００−１５１９１３号公報
【０００６】
【発明が解決しようとする課題】
本発明は上記した点に鑑みなされたものであって、ユーザーが清拭作業するといった負担をかけることなく、かつ特別な追加部品を必要とせずに安価に、コンタクトガラスや白基準板の汚れを防止する画像読取装置を提供することを課題とする。
【０００７】
【課題を解決するための手段及び作用・効果】
上記課題を解決するために本発明の画像読取装置は、原稿の読取位置に設けたコンタクトガラスと、原稿を照明する露光ランプ等を有し前記コンタクトガラスの下方に設けた読取部と、原稿の読取位置近傍に設けた白基準板とを含み、前記コンタクトガラスあるいは白基準板の少なくともいずれか一方の表面に光触媒性物質を含有した光触媒含有材料で被膜を形成することを特徴とする。
【０００８】
本発明で利用する光触媒は、一般的に、光を吸収し、そのエネルギーを他の分子などに移して化学反応の触媒として働くものとして知られており、代表的な例としては二酸化チタン（ＴｉＯ２）がある。その表面に光を照射すると光により励起され、この表面で酸化還元反応が進行して種々の有機物を分解するという特性をもっている。そこでこのように働く物質、例えば二酸化チタン（ＴｉＯ２）を、粉末状、粒状、または薄膜状として光励起触媒作用により、空気の浄化、汚れの分解・除去、殺菌、壁面の汚染防止に利用されている。
【０００９】
本発明ではこの光触媒を利用し上記構成としたことにより、コンタクトガラス上の汚れを光励起触媒作用により分解するため、汚れの付着が効果的に防止されユーザーが清拭を行なう必要がない。また、読取位置の近くにある白基準板にも光触媒含有材料で被膜を形成したことによりこの白基準板上の汚れに対しても同様の効果を奏する。光触媒含有材料で被膜を形成する面は、コンタクトガラスと白基準板の両方とすることが好ましいが、コンタクトガラスのみ、あるいは白基準板のみとしてもそれぞれ汚れ付着を防止する効果は奏する。
【００１０】
また、本発明は、さらに好適な態様において、前記コンタクトガラス上の光触媒性物質の光励起は前記露光ランプで行なう構成としている。これにより、光の照射は露光ランプで兼ねる構成のため、光励起と露光を一つのランプで行なうことが出来、特別な部品を追加せずに安価な装置を提供できる。しかも、読取と同時に光励起できるので、無駄なく効率がよい。
【００１１】
また、本発明画像読取装置は、前記白基準板上の光触媒性物質の光励起は前記露光ランプで行ない、光励起するタイミングは、原稿の入れ替えている間の時間等の、前記コンタクトガラス上に原稿が置かれていないタイミングとする構成としており、光の照射は露光ランプで兼ね、光励起と露光を一つのランプで行なうことが出来、特別な部品を追加せずに安価な装置を提供できる。読取も上記タイミングで行なえば効率がよい。
【００１２】
さらに、本発明画像読取装置は、原稿載置部上に載置された原稿を原稿読取位置まで搬送する搬送手段と、原稿を読取位置通過後に排紙する排紙手段とを有する自動原稿搬送装置を含む画像読取装置において、原稿の読取位置に設けたコンタクトガラスと、原稿を照明する露光ランプ等を有し前記コンタクトガラスの下方に設けた読取部と、前記コンタクトガラスと対向する上方位置にあって自身が白基準板を形成するガイド部材とを具備し、前記コンタクトガラスとガイド部材の表面に光触媒性物質を含有した光触媒含有材料で被膜を形成することを特徴とする。
【００１３】
これにより、いわゆるシートスルー原稿読取装置において、コンタクトガラス上の汚れを光励起触媒作用により分解するため、汚れの付着が効果的に防止されユーザーが清拭を行なう必要がない。また、合わせて白基準板を形成するガイド部材にも光触媒含有材料で被膜を形成することにより白基準板上の汚れに対しても同様の効果を奏する。
【００１４】
【発明の実施の形態】
以下、本発明の実施の形態につき、図面に示す実施例を参照して説明する。図１は、本発明である画像読取装置の断面図であり、画像読取装置本体１００には自動原稿搬送装置１（以下ＡＤＦともいう）が搭載されている。この種画像読取装置は、いわゆるシートスルー原稿読取装置とも呼ばれる。前記自動原稿搬送装置１の構成について説明する。原稿テーブル２に置かれた原稿Ｐを、原稿読取位置である読取部１０まで挟持搬送する一対の搬送ローラ８，搬送従動ローラ８ａを配置している。前記原稿テーブル２と搬送ローラ８，８ａとの間には、原稿Ｐを１枚ずつ順番に搬送するための、呼び出しコロ５と、原稿テーブル２の原稿給紙側に設けた底板４と、原稿給紙方向の下流に設けた給紙部材６と、該給紙部材６に相対して設けた分離部材７とを配置している。前記底板４は、原稿テーブル２の端部から給紙方向（上流から下流方向）に回動自在に、前記呼び出しコロ５に接する位置まで上昇できるように設けられている。前記給紙部材６は、給紙方向に回転し呼び出しコロ５で呼び出された原稿Ｐを取り込む構成としている。前記分離部材７は、給紙方向と逆方向に回転し給紙された原稿Ｐの最上位の１枚のみを分離できる構成としている。３は原稿Ｐを原稿テーブル２に載置する際の原稿位置決めのための給紙ガイド板である。なお、前記給紙部材６および前記分離部材７は、図示していない駆動モータ（例えばステッピングモータ）にて駆動される。
【００１５】
次に、図２に示す読取部近傍の構成について説明する。読取位置には読取ガイド部材１０２を設けており、該読取ガイド部材１０２の原稿給紙方向下流に原稿Ｐを挟持搬送するための一対の中間搬送ローラ１１，中間搬送従動ローラ１１ａを配置している。前記搬送ローラ８，８ａと、読取ガイド部材１０２と、中間搬送ローラ１１，１１ａとが配置された第１搬送路Ｒ１は、湾曲した搬送路を形成しており、読取ガイド部材１０２の下面は円弧状に湾曲した構成とし、この搬送路上を原稿Ｐが搬送される。前記読取ガイド部材１０２に相対向する位置に、読取ガイド部材１０２との間に隙間を有してコンタクトガラス１０１を配置している。該コンタクトガラス１０１の下方位置にある読取部１０は、露光ランプ１１０や第１ミラー（図示しない）およびレンズ等の光学系等の部品で構成し、装置本体１００に設けられている。前記読取部１０は、画像読取の際、この露光ランプ１１０や第１ミラーを、前記コンタクトガラス１０１の下方で、図１に示すＤ方向に移動するか（駆動系は図示しない）、あるいは読取位置下方で停止させる。そして、露光ランプ１１０によって原稿の画像面に光を照射した後、その反射光を第１ミラーおよび光学系を介して、感光体ドラム（図示しない）に結像しその感光体ドラムに形成された静電潜像にトナー等を付着させて記録紙に転写したり、あるいは前記反射光を第１ミラーおよび光学系を介してＣＣＤ等からなるイメージセンサに結像し、そのイメージセンサにて光信号を電気信号に変換し、種々画像形成手段を用いて記録紙に画像を転写する構成としている。前記読取ガイド部材１０２は、光学系の条件設定を行なうために読みこまれる白基準板の機能も有している。読取ガイド部材１０２の一部分あるいは下面に一様な反射率からなる白色板を設けて、白基準板を構成し、反射率が既知であるこの白基準板を読み込み校正を行ない、レンズやランプ等部品の個体のバラツキ等を補正し、その出力から画像読取条件を設定できる。すなわち、読取ガイド部材１０２が、画像読取の条件設定のために読み込まれる白基準板を兼ねる構成となる。
【００１６】
前記コンタクトガラス１０１と、読取ガイド部材１０２とには、原稿Ｐと相対する側の表面に、光触媒性物質を含有する光触媒含有材料により被膜を形成している。光触媒性物質として、例えば、二酸化チタンを使用する。被膜を形成する方法としては、例えば、高周波スパッタリングが知られている。この方法にてコンタクトガラス１０１および読取ガイド部材１０２の表面に極薄の光触媒性物質の薄膜を形成する。この被膜は極薄膜でほとんで透明状にして、容易にはがれないように形成できる。コンタクトガラス１０１部分の透明性を損なうこともない。光触媒反応は、紫外線領域で働くことが知られており、この領域の波長をもつ光を照射する光源が好ましい。この波長域をもつ読取用の露光ランプ１１０として、例えば、水銀ランプ、キセノンランプ、その他蛍光ランプを選択することが好ましい。なかでも紫外線領域で十分な光量が確保できる水銀ランプが適している。光触媒性物質を含有する光触媒含有材料の被膜形成方法の他の方法として、光触媒性物質（例えば、酸化チタン）の粒子の粒径が可視光の波長よりも小さい（例えば、５５０ｎｍ以下）、粉末状の光触媒性物質を高分子材料に分散混入し、コンタクトガラス１０１および読取ガイド部材１０２の表面にコーティング被膜を形成してもよい。このコーティング被膜が光触媒含有材料を構成する。光触媒性物質の粒子の粒径が可視光の波長よりも小さいため、可視光の原稿への到達を妨げない。なお、酸化チタン粒子は、二酸化チタン粒子を使用することができるが、酸素の含有率が上記二酸化チタンよりも少ない酸化チタン（例えば、ＴｉＯ、Ｔｉ２Ｏ３、Ｔｉ３Ｏ５等）を使用することもできる。また、クロムやバナジウム等の金属イオンを酸化チタンに注入したものを使用してもよい。これにより、紫外線よりも長波長側、例えば、可視光領域の光に対する光触媒効果を高めることができる。例えば、紫外線領域だけでは光励起のエネルギーが不充分である場合には、可視光領域の光も有効に活用できるようになり、可視光主体の照明中でも顕著な光触媒効果を達成することが可能となる。前記読取ガイド部材１０２は、白基準板となるように構成されており、この白基準板の表面に光触媒含有材料の被膜が形成されることになる。
【００１７】
そして、読取ガイド部材１０２と中間搬送ローラ１１，１１ａとの間の本体側に本体側ガイド１００ｃを配置している。該本体側ガイド１００ｃは、原稿給紙方向下流の原稿搬送面（ＡＤＦ側ガイド１００ａのガイド面）より高く突き出た鉤状に形成した先端部を有し、その先端部が、コンタクトガラス１０１に対向する読取ガイド部材１０２と中間搬送ローラ１１，１１ａとの接線に接するように、すなわち、前記搬送ローラ８，８ａと前記中間搬送ローラ１１，１１ａとによって挟持されて張った状態にある原稿面に接するように構成する。図２で一点鎖線で示すように原稿Ｐが読取位置の上流および下流で張った状態にある。さらに原稿が搬送されて、原稿後端が搬送ローラ８，８ａを通過すると、原稿Ｐの読取位置よりも上流部分は点線のようにたわんだ状態へと変化する。一方、原稿Ｐの下流部分は、本体側ガイド１００ｃの先端部によって持ち上げられるので、たわむことなく張った状態のままを維持する。図４は係る部分の従来例を示し、本体側ガイド１００ｂは、ＡＤＦ側ガイド１００ａのガイド面と同じ高さの面で構成されている。従って、図４で点線で示すように、原稿Ｐの読取位置の上流部分および下流部分でたわんだ状態になる。
【００１８】
図３は、係る部分の本発明他の実施例を示し、本体側ガイド１０３は、回転するガイドローラとして構成している。該本体側ガイド１０３のローラの端面は、ＡＤＦ側ガイド１００ａのガイド面より高く突き出た位置に配置され、端面がコンタクトガラス１０１に対向する読取ガイド部材１０２と中間搬送ローラ１１，１１ａとの接線に接するように構成している。前述の図２の実施例と同様の効果を奏するとともに、さらに、原稿印刷面に対してローラによって滑動して接するため、印刷面のインク等のはがしが少ない効果がある。
【００１９】
前記中間搬送ローラ１１，１１ａの原稿給紙方向下流には、排紙ローラ１２，排紙下従動ローラ１２ａおよびを排紙上従動ローラ１２ｂ設けている。排紙下従動ローラ１２ａおよびを排紙上従動ローラ１２ｂは排紙ローラ１２を挟んで上下に配置されている。前記排紙ローラ１２と排紙下従動ローラ１２ａにより読取後の原稿Ｐを排紙トレイ１５に排出する構成としている。前記排紙ローラ１２は、図示しない駆動モータにて駆動される。１７は中間トレイで、排紙トレイ１５の上方であって、前記原稿テーブル２の下方に配置され、原稿の両面モード（原稿の表と裏の両面の画像を読取る設定のモード）に対応して原稿が一時的に置かれるトレイである。両面モード時、前記排紙ローラ１２と排紙上従動ローラ１２ｂにより原稿Ｐを中間トレイ１７に排出する構成としている。前記排紙ローラ１２，１２ａと、中間トレイ１７との間には、排紙時あるいは反転時（原稿の両面モードに対応した時）における搬送方向が変更となるようにソレノイド（図示しない）を利用して回動自在になる切替爪１４と、中間トレイ１７の原稿Ｐを搬送するための一対の反転ローラ１６，反転従動ローラ１６ａとを設けている。９は前記搬送ローラ８，８ａを介して搬送された原稿Ｐの先端を検知するレジストセンサ、１３は前記中間搬送ローラ１１，１１ａを介して搬送された原稿Ｐを検知する排紙センサ（例えば、光学式反射形センサ）、１８は搬送方向変更タイミング制御のトリガとしての検知情報を得るための反転センサ（例えば、光学式反射形センサ）である。前記反転ローラ１６は、図示しない駆動モータにて駆動される。
【００２０】
なお、本実施形態の自動原稿搬送装置１は、図１の矢印Ｃで示す方向に、開閉自在に、接合部分をヒンジ（図示しない）等で本体１００に連結された構成としている。
【００２１】
次に、本実施形態の動作について説明する。原稿テーブル２上に原稿Ｐの第１画像面（片面読取の場合は読取したい画像面、両面読取の場合は始めに読取する画像面）を上向きにして積み重ねて置く。原稿Ｐは原稿テーブル２に積み重ねて載置する際、原稿先端は、給紙ガイド板３に突き当たることにより位置決めされる。装置本体１００の操作部にあるスタートボタン（図示しない）を押すとＡＤＦ１側にスタート信号が送られる。スタート信号により底板４は、ソレノイド（図示しない）の作用によって矢印Ａ方向に上昇し原稿Ｐを呼び出しコロ５と接する位置まで押し上げる。その呼び出しコロ５によって加圧された原稿Ｐは、原稿給紙方向に回転する呼び出しコロ５により、給紙部材６および分離部材７からなる分離部へ搬送され、最上位から１枚ずつ分離される。なお、前記底板４は、給紙開始から一定時間後（あるいはレジストセンサ９にて原稿先端が検知された後）に下降する。これは、底板４が下降することで、原稿Ｐに加わる底板４と呼び出しコロ５との間の圧力を開放し、搬送中の原稿Ｐの第２画像面（第１画像面の裏面）が次の原稿の第１画像面に擦り付けられる時間を短縮するためである。このように給紙開始から一定時間後に底板４を下降させる場合は、その時間は擦り付けによる汚れを少なくするために極力短時間に設定することが望ましい。なお、原稿Ｐが片面モードのみ（第１画像面のみの片面読取）の場合は、第２画像面は無地なので底板４を下降させる必要はない。片面モードあるいは両面モードの設定は、使用者が操作部にて始めに選択する。
【００２２】
こうして１枚ずつ分離された原稿Ｐは、搬送ローラ８，８ａを介して第１搬送路Ｒ１に搬送される。その搬送ローラ８，８ａに近接して配置されたレジストセンサ９は、原稿先端を検知して読取部１０への原稿先端通過と画像読取開始とのタイミングを合わせる働きをする。なお、原稿Ｐが分離搬送した後、一定時間経過してもレジストセンサ９が原稿先端を検知しない場合は、ジャム（紙詰まり等の紙送りの異常）が発生したものと判定する。
【００２３】
次に、読取動作について説明する。使用者が片面モードにて原稿Ｐの１面のみ（第１画像面のみ）読取る設定とした場合、原稿Ｐは読取部１０にて第１画像面の画像情報を読取られた後、中間搬送ローラ１１，１１ａ、排紙ローラ１２，１２ａが配置された第２搬送路Ｒ２を通り、排紙トレイ１５について排出される。この読取部１０の読取の作業の時に、前記原稿コンタクトガラス１０１表面の光触媒性物質は、画像読取と同時に前記露光ランプ１１０で光励起され、光励起触媒作用によりこの表面で酸化還元反応が進行してコンタクトガラス１０１上の種々の有機物等を分解し、汚れの付着が効果的に防止される。このように、光の照射は露光ランプ１１０で兼ねる構成のため、光励起と露光を一つのランプで行なうことが出来、特別な部品を追加せずに安価な装置を提供できる。しかも、読取と同時に光励起できるので、無駄なく効率がよい。なお、原稿Ｐの流れにおいて、一定時間経過しても現行Ｐ先端が排紙センサ１３にて検知されない場合、または原稿Ｐ先端が検知された後一定時間経過しても現行Ｐ後端が排紙センサ１３にて検知されない場合は、ジャムと判定される。また、この一連の流れの際、前記切替爪１４はＢ位置（ホームポジション）にあって、排紙ローラ１２，１２ａにて挟持搬送された原稿Ｐを排紙トレイ１５側に導くようにしている。
【００２４】
一方、使用者が両面モードにて原稿Ｐの両面（第１画像面および第２画像面）を読取る設定とした場合は、原稿Ｐは読取部１０にて第１画像面を読取られた後、第２搬送路Ｒ２を通り、反転ローラ１６，１６ａが配置された第３搬送路Ｒ３を通って中間トレイ１７に排出される。この読取の際に前述のように、前記原稿コンタクトガラス１０１上の光触媒性物質は、画像読取と同時に前記露光ランプ１１０で光励起され、光励起触媒作用により同様効果が得られる。この両面モードの際の切替爪１４の動作について説明する。排紙センサ１３にて原稿Ｐ先端が検知されるか、あるいはレジストセンサ９にて原稿Ｐが検知されてから所定のタイミングで、ソレノイドにより前記切替爪１４がＢ位置からＢ’位置に下降し、排紙ローラ１２，１２ａにて挟持搬送された原稿Ｐを中間トレイ１７側に導くようにしている。なお、第３搬送路Ｒ３を通る原稿Ｐが一定時間経過しても反転センサ１８に検知されない場合は、ジャムと判定される。
【００２５】
前記Ｂ’位置に下降した切替爪１４は、原稿Ｐ先端が排紙センサ１３を通過後、さらに一定時間（原稿Ｐ後端が排紙ローラ１２，１２ａを通過して切替爪１４に達するまでの時間）経過した後、前記ソレノイドを解除することにより、Ｂ位置（ホームポジション）に復帰する。この切替爪１４の復帰後、反転ローラ１６，１６ａが逆回転し、原稿Ｐ先端は排紙ローラ１２と排紙ローラ１２ｂのニップ部（挟みつかむ部分）に進入する。この時、排紙ロ−ラ１２は駆動停止し、スキュー（原稿斜行）の突き当て補正が行なわれる。この突き当て補正終了後、原稿Ｐは第４搬送路Ｒ４および第１搬送路Ｒ１を通って読取位置に搬送され読取部１０にて第２画像面が読取られる。こうして第２画像面が読取られた後、原稿Ｐのページ順を整えるために（読取後の原稿Ｐを第１画像面が下向きの状態に積み重ねられるようにするために）、切替爪１４がＢ’位置に移動する。これにより、第２搬送路Ｒ２を通った読取後の原稿Ｐは、第３搬送路Ｒ３を通り、第２画像面が下向きの状態で中間トレイ１７に一旦保持される。この後、切替爪１４がＢ位置（ホームポジション）に復帰し、中間トレイ１７に一旦保持されていた原稿Ｐは、第４搬送路Ｒ４、第１搬送路Ｒ１、第２搬送路Ｒ２を通り、第１画像面が下向きの状態で排紙トレイ１５に排出される。
【００２６】
前記読取ガイド部材１０２上の光触媒性物質の光照射は次のように構成している。原稿Ｐの第１画像面通過後第２画像面の通過前のその間の時間、すなわち、対向する前記コンタクトガラス１０１との間に原稿Ｐの存在しないタイミングで前記露光ランプ１１０を発光させる。これにより前記読取ガイド部材１０２上の光触媒性物質面は、前記露光ランプ１１０で光励起され、光励起触媒作用によりこの表面で酸化還元反応が進行して前記読取ガイド部材１０２上の種々の有機物等を分解し、汚れを防ぐ効果が得られる。読取ガイド部材１０２は白基準板となる構成であり、この白基準板表面の汚れの付着が効果的に防止される。このように、白基準板に対して、光の照射は露光ランプで兼ねる構成のため、光励起と露光を一つのランプで行なうことが出来、特別な部品を追加せずに安価な装置を提供できる。読取も上記タイミングで行なえば効率がよい。
【００２７】
この後、前記操作部からのスタート信号によって前記呼び出しコロ５による次原稿Ｐの給紙動作が開始される。なお、このスタート信号により前記底板４を上昇させると、底板４が所定位置まで上昇するのにかかる時間が給紙時間に加わるので、前記スタート信号の受信前に底板４を予め上昇させておく構成としている。すなわち、現在の原稿Ｐの排出動作時、原稿Ｐ先端が第４搬送路Ｒ４を通過し、レジストセンサ９にてその原稿Ｐ先端が検知されると、底板４が上昇する。底板４の上昇タイミングは、原稿後端が呼び出しコロ５を通過してから次原稿Ｐの給紙開始までの間に上昇させておけばよいが、上昇による振動を与えないように、画像読取時以外の時間に底板４が上昇するように設定している。
【００２８】
なお、片面モードの場合、前記読取ガイド部材１０２上の光触媒性物質の光照射は、第１原稿通過後次の原稿の通過前のその間の時間等の、対向する前記コンタクトガラス１０１との間に原稿の存在しないタイミングで前記露光ランプ１１０を発光させて、光励起させ、光励起触媒作用により前述同様の効果を得ることができる。
【００２９】
なお、本実施例においては、シートスルータイプの画像読取装置について説明したが、本明細書中に示した要件を取捨選択することにより、原稿台固定タイプの画像読取装置に置き換え実施することは容易であり、同様の効果を奏することが可能である。
【図面の簡単な説明】
【図１】本発明の画像読取装置の内部構成を概略的に示す断面図。
【図２】図１の画像読取装置における読取部近傍の構成を示す図。
【図３】図２の読取部近傍の他の実施例の構成を示す図。
【図４】従来の読取部近傍の構成を示す図。
【符号の説明】
Ｐ  原稿
２  原稿トレイ
８，８ａ  搬送ローラ
１０  読取部
１１，１１ａ  中間搬送ローラ
１５  排紙トレイ
１０１  コンタクトガラス
１０２  読取ガイド部材
１１０  露光ランプ
【図１】
2004215162.tif 000003
【図２】
2004215162.tif 000004
【図３】
2004215162.tif 000005
【図４】
2004215162.tif 000006